(57)【要約】【課題】車椅子の座席が、車椅子の利用者が座ったままでより適切且つ滑らかにベッド等の方向へスライドできるものを提供する。【解決手段】座面２１を備えた座部２３と、座部２３を支持するフレーム部１と、フレーム部１の左右に位置する一対の駆動輪４と、該一対の駆動輪４の前方に位置する一対の前車輪６とを備える車椅子において、前記一対の駆動輪４の少なくとも一方を座部２３より後方へ移動できるように設けられた駆動輪の後退動手段５と、駆動輪の後退動手段５によっていずれか一方の駆動輪４を後方へ移動させた後、駆動輪４が移動された側の左右方向の外側方向へ座部２３をスライドできるように、座部２３に設けられた被ガイド部３１２に対応し、フレーム部１に左右方向へ延びるガイド部３１１が設けられて構成されている座部横スライド機構部３１とを具備する。【選択図】図７
2014147661.tif 000002
【特許請求の範囲】
【請求項１】
座面を備えた座部と、該座部を支持するフレーム部と、該フレーム部の左右に位置する一対の駆動輪と、該一対の駆動輪の前方に位置する一対の前車輪とを備える車椅子において、
前記一対の駆動輪の少なくとも一方を前記座部より後方へ移動できるように、前記駆動輪の車軸を保持する車軸保持部と、前記フレーム部の側部において前記車軸保持部を前後へ移動可能に保持する車軸ガイド部と、前記車軸保持部を前後に移動させるために該車軸保持部と連結された操作部とを備える駆動輪の後退動手段と、
該駆動輪の後退動手段によっていずれか一方の前記駆動輪を後方へ移動させた後、該駆動輪が移動された側の左右方向の外側方向へ前記座部をスライドできるように、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座部が外側へ移動する側の縁部側に設けられた座部用ローラ部とで構成されている座部横スライド機構部とを具備し、
前記駆動輪の後退動手段の操作部が、前記フレーム部における側部の下部を支点として前後に回動できる操作バーによって設けられ、該操作バーの中途部と前記車軸保持部との間に連結された駆動輪後退用リンクを介して駆動輪が後方へ移動できると共に、該操作バーの上側中途部と肘掛の前方部とが回動可能に連結されていることで該肘掛を後方へ移動できるように設けられていることを特徴とする車椅子。
【請求項２】
座面を備えた座部及び該座部に座る利用者の背中を支えるように該座部と一体化された背もたれ部を備える座席部と、該座席部を支持するフレーム部と、該フレーム部の左右に位置する一対の駆動輪と、該一対の駆動輪の前方に位置する一対の前車輪とを備える車椅子において、
前記一対の駆動輪の少なくとも一方を前記座席部より後方へ移動できるように、前記駆動輪の車軸を保持する車軸保持部と、前記フレーム部の側部において前記車軸保持部を前後へ移動可能に保持する車軸ガイド部と、前記車軸保持部を前後に移動させるために該車軸保持部と連結された操作部とを備える駆動輪の後退動手段と、
該駆動輪の後退動手段によっていずれか一方の前記駆動輪を後方へ移動させた後、該駆動輪が移動された側の左右方向の外側方向へ前記座席部をスライドできるように、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座席部が外側へ移動する側の縁部側に設けられた座部用ローラ部とを備える座部横スライド機構部と、前記背もたれ部の後方で前記フレーム部に左右方向へ延設された背もたれ部用ガイド部と、該背もたれ部用ガイド部に案内されると共に脱落しないように係合されて左右方向へ移動するように前記背もたれ部の背面に固定された背もたれ部用被ガイド部とを備える背もたれ部スライド機構部とがそれぞれ設けられて構成されている座席横スライド手段とを具備し、
前記駆動輪の後退動手段の操作部が、前記フレーム部における側部の下部を支点として前後に回動できる操作バーによって設けられ、該操作バーの中途部と前記車軸保持部との間に連結された駆動輪後退用リンクを介して駆動輪が後方へ移動できると共に、該操作バーの上側中途部と肘掛の前方部とが回動可能に連結されていることで該肘掛を後方へ移動できるように設けられていることを特徴とする車椅子。
【請求項３】
座面を備えた座部と、該座部を支持するフレーム部と、該フレーム部の左右に位置する一対の駆動輪と、該一対の駆動輪の前方に位置する一対の前車輪とを備える車椅子において、
前記一対の駆動輪の少なくとも一方を前記座部より後方へ移動できるように、前記駆動輪の車軸を保持する車軸保持部と、前記フレーム部の側部において前記車軸保持部を前後へ移動可能に保持する車軸ガイド部と、前記車軸保持部を前後に移動させるために該車軸保持部と連結された操作部とを備える駆動輪の後退動手段と、
該駆動輪の後退動手段によっていずれか一方の前記駆動輪を後方へ移動させた後、該駆動輪が移動された側の左右方向の外側方向へ前記座部をスライドできるように、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座席部が外側へ移動する側の縁部側に設けられた座部用ローラ部とで構成されている座部横スライド機構部とを具備し、
前記前車輪の前側に位置して足を載せることができる足載せ部の足載せ板が、前記フレーム部の前方と側方との間で回動変位できるように、該足載せ板を保持する足載せ部用フレームが前記フレーム部の前角部において回動可能に軸着されており、該足載せ板が、前記足載せ部用フレームの水平軸部に、足を載せることが可能な水平に保持される状態から立てた状態に回動できると共に保持できるように設けられ、前記足載せ板が立てた状態になったときに、該足載せ板の前記水平軸部を挟んで反対側へ延設された支持用延設部が回動して下端が接地することで車椅子にかかる荷重を受けることができるように設けられていることを特徴とする車椅子。
【請求項４】
座面を備えた座部及び該座部に座る利用者の背中を支えるように該座部と一体化された背もたれ部を備える座席部と、該座席部を支持するフレーム部と、該フレーム部の左右に位置する一対の駆動輪と、該一対の駆動輪の前方に位置する一対の前車輪とを備える車椅子において、
前記一対の駆動輪の少なくとも一方を前記座席部より後方へ移動できるように、前記駆動輪の車軸を保持する車軸保持部と、前記フレーム部の側部において前記車軸保持部を前後へ移動可能に保持する車軸ガイド部と、前記車軸保持部を前後に移動させるために該車軸保持部と連結された操作部とを備える駆動輪の後退動手段と、
該駆動輪の後退動手段によっていずれか一方の前記駆動輪を後方へ移動させた後、該駆動輪が移動された側の左右方向の外側方向へ前記座席部をスライドできるように、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座席部が外側へ移動する側の縁部側に設けられた座部用ローラ部とを備える座部横スライド機構部と、前記背もたれ部の後方で前記フレーム部に左右方向へ延設された背もたれ部用ガイド部と、該背もたれ部用ガイド部に案内されると共に脱落しないように係合されて左右方向へ移動するように前記背もたれ部の背面に固定された背もたれ部用被ガイド部とを備える背もたれ部スライド機構部とがそれぞれ設けられて構成されている座席横スライド手段とを具備し、
前記前車輪の前側に位置して足を載せることができる足載せ部の足載せ板が、前記フレーム部の前方と側方との間で回動変位できるように、該足載せ板を保持する足載せ部用フレームが前記フレーム部の前角部において回動可能に軸着されており、該足載せ板が、前記足載せ部用フレームの水平軸部に、足を載せることが可能な水平に保持される状態から立てた状態に回動できると共に保持できるように設けられ、前記足載せ板が立てた状態になったときに、該足載せ板の前記水平軸部を挟んで反対側へ延設された支持用延設部が回動して下端が接地することで車椅子にかかる荷重を受けることができるように設けられていることを特徴とする車椅子。
【請求項５】
座面を備えた座部と、該座部を支持するフレーム部と、該フレーム部の左右に位置する一対の主輪と、該一対の主輪の前方に位置する一対の前車輪とを備え、前記座部を左右方向の一方の外側方向へスライドできるように、前記主輪の外径が前記座部の左右方向のスライドを妨げない大きさに設けられた車椅子において、
前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座部が外側へ移動する側の縁部側に設けられた座部用ローラ部とで構成されている座部横スライド機構部とを具備することを特徴とする車椅子。
【請求項６】
座面を備えた座部及び該座部に座る利用者の背中を支えるように該座部と一体化された背もたれ部を備える座席部と、該座席部を支持するフレーム部と、該フレーム部の左右に位置する一対の主輪と、該一対の主輪の前方に位置する一対の前車輪とを備え、前記座席部を左右方向の一方の外側方向へスライドできるように、前記主輪の外径が前記座席部の左右方向のスライドを妨げない大きさに設けられた車椅子において、
前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座部が外側へ移動する側の縁部側に設けられた座部用ローラ部とを備える座部横スライド機構部と、前記背もたれ部の後方で前記フレーム部に左右方向へ延設された背もたれ部用ガイド部と、該背もたれ部用ガイド部に案内されると共に脱落しないように係合されて左右方向へ移動するように前記背もたれ部の背面に固定された背もたれ部用被ガイド部とを備える背もたれ部スライド機構部とがそれぞれ設けられて構成されている座席横スライド手段とを具備することを特徴とする車椅子。
【請求項７】
前記前車輪の前側に位置して足を載せることができる足載せ部の足載せ板が、前記フレーム部の前方と側方との間で回動変位できるように、該足載せ板を保持する足載せ部用フレームが前記フレーム部の前角部において回動可能に軸着されており、該足載せ板が、前記足載せ部用フレームの水平軸部に、足を載せることが可能な水平に保持される状態から立てた状態に回動できると共に保持できるように設けられ、前記足載せ板が立てた状態になったときに、該足載せ板の前記水平軸部を挟んで反対側へ延設された支持用延設部が回動して下端が接地することで車椅子にかかる荷重を受けることができるように設けられていることを特徴とする請求項５又は６記載の車椅子。
【請求項８】
二組の前記座部横スライド機構部を備えることを特徴とする請求項１〜７のいずれかに記載の車椅子。
【請求項９】
前記座部は、該座部の側部に洋式便器の便座の湾曲面に沿うような凹曲面が形成されていることを特徴とする請求項１〜８のいずれかに記載の車椅子。
【請求項１０】
前記座部が外側へ移動する側の縁部の外側に設けられた前記主輪をロックするための主輪用ブレーキについて、該主輪用ブレーキを操作するようにレバーを備える操作部が、通常よりも短い短尺操作レバーと該短尺操作レバーに対して後方へ傾斜して通常の長さに設けられている傾斜操作レバーとによって構成されていることを特徴とする請求項１〜９のいずれかに記載の車椅子。
【請求項１１】
前記座部が外側へ移動する側とは反対側の該座部の側部に、前記座部用ガイド部に係止して前記座部の左右方向の移動を阻止するようにロックできるストッパ機構を備えることを特徴とする請求項１〜１０のいずれかに記載の車椅子。
【発明の詳細な説明】
【技術分野】
【０００１】
この発明は、車椅子とベッドや洋式便器等との間で、車椅子の利用者の安全でかつ容易な移動を可能とする車椅子に関する。
【背景技術】
【０００２】
自走タイプの車椅子からベッドや洋式便器に移ることは、身体の体重を腕で支えながらの作業となり、車椅子の利用者にとって容易なことではない。介護をする者にとっても、一旦被介護者の体重を支えることとなり重労働である。また、車椅子からベッド等へ移動する際に、車椅子とベッド等との隙間から身体が床面に落下する危険がある。
【０００３】
そこで、車椅子からベッド等への移動の際に、車輪を後方へ移動させたり、座面を前方へスライドさせたりした後、座面とベッド等との間に板状体を架け渡して身体をずらしながら移動できるようにした発明が提案されている（特許文献１）。
【０００４】
しかしながら、そのような板状体を架け渡したとしても、横方向へ身体をずらしつつ移動することは必ずしも容易ではない。また、板状体を架け渡した後に元に戻す手間も課題となる。
【０００５】
この点について、介護タイプの車椅子の考案において、座面をベッド等の方向へスライドさせることが提案されている（特許文献２）。
【０００６】
しかしながら、この考案では、座席７をスライドさせるための金具として、座席７の前方のスライド金具８のみが用いられている。座席７の後端下面は単にフレームの突条面上を摺動するのみである。したがって、その摺動する際の抵抗により、要介護者が座ったまま補助パイプ操作レバー５によって座席をスライドさせることは困難と考えられる。また、補助パイプ操作レバー５は常に側方へ突出しており、車椅子の移動に障害となる。
【先行技術文献】
【特許文献】
【０００７】
【特許文献１】特開２００９−１７８４９２号公報
【特許文献２】実用新案登録第３０６７５８５号公報
【発明の概要】
【発明が解決しようとする課題】
【０００８】
そこで、車椅子に関して解決しようとする課題は、最も利用される後輪駆動の自走タイプの車椅子、及び介護をする者が押すなどの操作をすることで走行する非自走タイプの車椅子において、車椅子の利用者が自ら車椅子を駆動できる者であっても要介護者であっても、車椅子の座席が車椅子の利用者が座ったままでより適切且つ滑らかにベッド等の方向へスライドできるものとすることにある。
【課題を解決するための手段】
【０００９】
前記課題を解決するため、本発明にかかる車椅子の一形態によれば、座面を備えた座部と、該座部を支持するフレーム部と、該フレーム部の左右に位置する一対の駆動輪と、該一対の駆動輪の前方に位置する一対の前車輪とを備える車椅子において、前記一対の駆動輪の少なくとも一方を前記座部より後方へ移動できるように、前記駆動輪の車軸を保持する車軸保持部と、前記フレーム部の側部において前記車軸保持部を前後へ移動可能に保持する車軸ガイド部と、前記車軸保持部を前後に移動させるために該車軸保持部と連結された操作部とを備える駆動輪の後退動手段と、該駆動輪の後退動手段によっていずれか一方の前記駆動輪を後方へ移動させた後、該駆動輪が移動された側の左右方向の外側方向へ前記座部をスライドできるように、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座席部が外側へ移動する側の縁部側に設けられた座部用ローラ部とで構成されている座部横スライド機構部とを具備し、前記駆動輪の後退動手段の操作部が、前記フレーム部における側部の下部を支点として前後に回動できる操作バーによって設けられ、該操作バーの中途部と前記車軸保持部との間に連結された駆動輪後退用リンクを介して駆動輪が後方へ移動できると共に、該操作バーの上側中途部と肘掛の前方部とが回動可能に連結されていることで該肘掛を後方へ移動できるように設けられている。
【００１０】
また、本発明にかかる車椅子の一形態によれば、座面を備えた座部及び該座部に座る利用者の背中を支えるように該座部と一体化された背もたれ部を備える座席部と、該座席部を支持するフレーム部と、該フレーム部の左右に位置する一対の駆動輪と、該一対の駆動輪の前方に位置する一対の前車輪とを備える車椅子において、前記一対の駆動輪の少なくとも一方を前記座席部より後方へ移動できるように、前記駆動輪の車軸を保持する車軸保持部と、前記フレーム部の側部において前記車軸保持部を前後へ移動可能に保持する車軸ガイド部と、前記車軸保持部を前後に移動させるために該車軸保持部と連結された操作部とを備える駆動輪の後退動手段と、該駆動輪の後退動手段によっていずれか一方の前記駆動輪を後方へ移動させた後、該駆動輪が移動された側の左右方向の外側方向へ前記座席部をスライドできるように、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座席部が外側へ移動する側の縁部側に設けられた座部用ローラ部とを備える座部横スライド機構部と、前記背もたれ部の後方で前記フレーム部に左右方向へ延設された背もたれ部用ガイド部と、該背もたれ部用ガイド部に案内されると共に脱落しないように係合されて左右方向へ移動するように前記背もたれ部の背面に固定された背もたれ部用被ガイド部とを備える背もたれ部スライド機構部とがそれぞれ設けられて構成されている座席横スライド手段とを具備し、
前記駆動輪の後退動手段の操作部が、前記フレーム部における側部の下部を支点として前後に回動できる操作バーによって設けられ、該操作バーの中途部と前記車軸保持部との間に連結された駆動輪後退用リンクを介して駆動輪が後方へ移動できると共に、該操作バーの上側中途部と肘掛の前方部とが回動可能に連結されていることで該肘掛を後方へ移動できるように設けられている。
【００１１】
また、本発明にかかる車椅子の一形態によれば、座面を備えた座部と、該座部を支持するフレーム部と、該フレーム部の左右に位置する一対の駆動輪と、該一対の駆動輪の前方に位置する一対の前車輪とを備える車椅子において、前記一対の駆動輪の少なくとも一方を前記座部より後方へ移動できるように、前記駆動輪の車軸を保持する車軸保持部と、前記フレーム部の側部において前記車軸保持部を前後へ移動可能に保持する車軸ガイド部と、前記車軸保持部を前後に移動させるために該車軸保持部と連結された操作部とを備える駆動輪の後退動手段と、該駆動輪の後退動手段によっていずれか一方の前記駆動輪を後方へ移動させた後、該駆動輪が移動された側の左右方向の外側方向へ前記座部をスライドできるように、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座席部が外側へ移動する側の縁部側に設けられた座部用ローラ部とで構成されている座部横スライド機構部とを具備し、前記前車輪の前側に位置して足を載せることができる足載せ部の足載せ板が、前記フレーム部の前方と側方との間で回動変位できるように、該足載せ板を保持する足載せ部用フレームが前記フレーム部の前角部において回動可能に軸着されており、該足載せ板が、前記足載せ部用フレームの水平軸部に、足を載せることが可能な水平に保持される状態から立てた状態に回動できると共に保持できるように設けられ、前記足載せ板が立てた状態になったときに、該足載せ板の前記水平軸部を挟んで反対側へ延設された支持用延設部が回動して下端が接地することで車椅子にかかる荷重を受けることができるように設けられている。
【００１２】
また、本発明にかかる車椅子の一形態によれば、座面を備えた座部及び該座部に座る利用者の背中を支えるように該座部と一体化された背もたれ部を備える座席部と、該座席部を支持するフレーム部と、該フレーム部の左右に位置する一対の駆動輪と、該一対の駆動輪の前方に位置する一対の前車輪とを備える車椅子において、前記一対の駆動輪の少なくとも一方を前記座席部より後方へ移動できるように、前記駆動輪の車軸を保持する車軸保持部と、前記フレーム部の側部において前記車軸保持部を前後へ移動可能に保持する車軸ガイド部と、前記車軸保持部を前後に移動させるために該車軸保持部と連結された操作部とを備える駆動輪の後退動手段と、該駆動輪の後退動手段によっていずれか一方の前記駆動輪を後方へ移動させた後、該駆動輪が移動された側の左右方向の外側方向へ前記座席部をスライドできるように、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座席部が外側へ移動する側の縁部側に設けられた座部用ローラ部とを備える座部横スライド機構部と、前記背もたれ部の後方で前記フレーム部に左右方向へ延設された背もたれ部用ガイド部と、該背もたれ部用ガイド部に案内されると共に脱落しないように係合されて左右方向へ移動するように前記背もたれ部の背面に固定された背もたれ部用被ガイド部とを備える背もたれ部スライド機構部とがそれぞれ設けられて構成されている座席横スライド手段とを具備し、前記前車輪の前側に位置して足を載せることができる足載せ部の足載せ板が、前記フレーム部の前方と側方との間で回動変位できるように、該足載せ板を保持する足載せ部用フレームが前記フレーム部の前角部において回動可能に軸着されており、該足載せ板が、前記足載せ部用フレームの水平軸部に、足を載せることが可能な水平に保持される状態から立てた状態に回動できると共に保持できるように設けられ、前記足載せ板が立てた状態になったときに、該足載せ板の前記水平軸部を挟んで反対側へ延設された支持用延設部が回動して下端が接地することで車椅子にかかる荷重を受けることができるように設けられている。
【００１３】
また、本発明にかかる車椅子の一形態によれば、座面を備えた座部と、該座部を支持するフレーム部と、該フレーム部の左右に位置する一対の主輪と、該一対の主輪の前方に位置する一対の前車輪とを備え、前記座部を左右方向の一方の外側方向へスライドできるように、前記主輪の外径が前記座部の左右方向のスライドを妨げない大きさに設けられた車椅子において、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座部が外側へ移動する側の縁部側に設けられた座部用ローラ部とで構成されている座部横スライド機構部とを具備する。
【００１４】
また、本発明にかかる車椅子の一形態によれば、座面を備えた座部及び該座部に座る利用者の背中を支えるように該座部と一体化された背もたれ部を備える座席部と、該座席部を支持するフレーム部と、該フレーム部の左右に位置する一対の主輪と、該一対の主輪の前方に位置する一対の前車輪とを備え、前記座席部を左右方向の一方の外側方向へスライドできるように、前記主輪の外径が前記座席部の左右方向のスライドを妨げない大きさに設けられた車椅子において、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座部が外側へ移動する側の縁部側に設けられた座部用ローラ部とを備える座部横スライド機構部と、前記背もたれ部の後方で前記フレーム部に左右方向へ延設された背もたれ部用ガイド部と、該背もたれ部用ガイド部に案内されると共に脱落しないように係合されて左右方向へ移動するように前記背もたれ部の背面に固定された背もたれ部用被ガイド部とを備える背もたれ部スライド機構部とがそれぞれ設けられて構成されている座席横スライド手段とを具備する。
【００１５】
また、本発明にかかる車椅子の一形態によれば、前記座席を左右方向の一方の外側方向へスライドできるように、前記主輪の外径が前記座部の左右方向のスライドを妨げない大きさに設けられた車椅子においても、前記前車輪の前側に位置して足を載せることができる足載せ部の足載せ板が、前記フレーム部の前方と側方との間で回動変位できるように、該足載せ板を保持する足載せ部用フレームが前記フレーム部の前角部において回動可能に軸着されており、該足載せ板が、前記足載せ部用フレームの水平軸部に、足を載せることが可能な水平に保持される状態から立てた状態に回動できると共に保持できるように設けられ、前記足載せ板が立てた状態になったときに、該足載せ板の前記水平軸部を挟んで反対側へ延設された支持用延設部が回動して下端が接地することで車椅子にかかる荷重を受けることができるように設けられていることを特徴とすることができる。
【００１６】
また、本発明にかかる車椅子の一形態によれば、二組の前記座部横スライド機構部を備えたものとすることを特徴とすることができる。
また、本発明にかかる車椅子の一形態によれば、前記座部は、該座部の側部に洋式便器の便座の湾曲面に沿うような凹曲面が形成されていることを特徴とすることができる。
【００１７】
また、本発明にかかる車椅子の一形態によれば、前記座部が外側へ移動する側の縁部の外側に設けられた前記主輪をロックするための主輪用ブレーキについて、該主輪用ブレーキを操作するようにレバーを備える操作部が、通常よりも短い短尺操作レバーと該短尺操作レバーに対して後方へ傾斜して通常の長さに設けられている傾斜操作レバーとによって構成されていることを特徴とすることができる。
また、本発明にかかる車椅子の一形態によれば、前記座部が外側へ移動する側とは反対側の該座部の側部に、前記座部用ガイド部に係止して前記座部の左右方向の移動を阻止するようにロックできるストッパ機構を備えることができる。
【発明の効果】
【００１８】
本発明にかかる車椅子によれば、車椅子の利用者が座席に乗ったままの状態で座席をより適切且つ滑らかにスライドさせることができるため、車椅子の利用者の左右方向への体重移動に要する労力が大幅に軽減できるという特別有利な効果を奏する。
【図面の簡単な説明】
【００１９】
【図１】本発明にかかる車椅子の車輪を移動した状態を示す側面図である。肘掛及びリムは省略してある。
【図２】本発明にかかる車椅子の車輪を移動させ、座部をスライドする状態を示す平面図である。肘掛及びリム並びに足乗せ機構は省略してある。
【図３】本発明にかかる車椅子の座部をスライドする状態を示す正面図である。肘掛及びリム並びに足乗せ機構は省略してある。
【図４】本発明にかかる車椅子の座席のスライドをロックするための肘掛を嵌めた状態を示す部分拡大図である。
【図５】本発明にかかる車椅子に装着される肘掛の他の形態例を示す側面図である。
【図６】本発明にかかる車椅子の他の形態例を示す側面図である。
【図７】図６に示した車椅子の車輪を移動させ、座部をスライドする状態を示す側面図である。
【図８】図７に示した車椅子の正面図である。
【図９】本発明にかかる車椅子の主輪が小径に形成された形態例を示す側面図である。
【図１０】図９に示した車椅子の座部をスライドする状態を示す側面図である。
【図１１】図１０に示した車椅子の正面図である。
【図１２】図１０に示した車椅子のストッパ機構の原理を示す説明図である。
【図１３】本発明にかかる車椅子の実施の形態例を示す平面図である。
【図１４】本発明にかかる車椅子の実施の形態例を示す正面図である。
【図１５】本発明にかかる車椅子の実施の形態例を示す側面図である。
【発明を実施するための形態】
【００２０】
以下、本発明にかかる車椅子の形態例を添付図面（図１乃至４）に基づいて説明する。
まず、本形態例における車椅子の基本的な構成について説明する。
この車椅子は、車椅子の骨格となるフレーム部１と、座部２３及び背もたれ部２６を備えた座席部２と、座席部２を横方向へスライドさせる座席横スライド手段３と、フレーム部１の左右側部に位置する一対の駆動輪４の少なくとも一方を、座席部２をスライド可能とするため後方へ移動できるように設けられた駆動輪４の後退動手段５と、駆動輪４の前方で車椅子の移動方向を左右する一対の前車輪６とを備える。以下、各部の構成について具体的に説明する。
【００２１】
フレーム部１は、アルミ、スチール等を材質とするパイプ部材で構成される。このパイプ部材は、図１及び図３に示すように、座部２３の下の前後方向に水平に伸びた側部フレーム１ａと、背もたれ部２４の後方の側部フレーム１ａから後方斜め上方に延設された背もたれ部用フレーム１ｂと、前車輪６を保持するヨーク６１の支持部を下端で固定する側部フレーム１ａの前端部から下方へ垂直に伸びた前車輪用フレーム１ｃとを有している。さらに、側部フレーム１ａから前方へ延設して足を乗せる板（図示せず）を保持する足乗台用フレーム１ｄを設けている。また、背もたれ部用フレーム１ｂの上部が後方へ水平に延設された箇所には、介護人が車椅子を操作するためのハンドル８が形成されている。これらの形状のフレームが２列に並んで、横方向に架け渡された複数本のパイプ部材で連結されている。また、本形態例では側部フレーム１ａに沿って肘掛９（図３参照）が取り外し可能に保持されている。
【００２２】
ここで、標準的な自走タイプの車椅子は、側部フレーム１ａの後端部より下へ垂直方向に形成したフレームで駆動輪４の車軸を保持している。これに対し、本形態例では、右側面後方は従来の車椅子と同様であるが、左側面後方に座席部２をスライド可能とするための後述する駆動輪４の後退動手段５を備えている点で大きく異なる。なお、駆動輪４の後退動手段５は、車椅子の右側面部に備えることも両側に備えることも可能であり、車椅子の利用者の生活環境に合わせることが可能である。
【００２３】
座席部２は、図１に示すように、クッション性のある座面２１で覆った平板状の座板２２を有する座部２３と、座部２３と同様にクッション性のある背当て面２４で覆った背板２５を有する背もたれ部２６とを備えている。この背もたれ部２６は座部２３の後方から座部２３と同幅で立設されている。このように背もたれ部２６が座部２３より立設し、両部分が同時にスライドすることは、身体の重心移動が困難で、背もたれ部２６に常に寄りかかるような車椅子の利用者に特に好適である。
【００２４】
座部２３は、左側面部において、図３に示すように、後方部分で車椅子の利用者の左太ももの下方部分を削る程度の凹曲面２３ａが形成されている。また、凹曲面２３ａの前方部分は、該凹曲面２３ａから連続する曲面と座部２３の前端面の左方向への延長部とに挟まれ、側部フレーム部１ａの位置より左側で駆動輪４の左側面部の位置程度に突出したフック状部２３ｂが形成されている。この凹曲面２３ａは、洋式便器の便座の湾曲面に沿うものであり、腰の全てを便座に乗せることなく用を足すことを可能とする。これにより、身体の移動距離を少なくして車椅子の利用者等の労力を減らすことができる。また、このフック状部２３ｂは、後述するように、車椅子の肘掛９によって座部２３がスライドすることを防止する手段を構成する。
【００２５】
座板２２と側部フレーム１ａとの間及び背板２５と背もたれ部用フレーム１ｂとの間には、それぞれ座席２を左側へスライドさせるための座部横スライド機構部３１（前後２組）と背もたれ部スライド機構部３２とから構成される座席横スライド手段３が備えられている。
【００２６】
座部横スライド機構部３１は、座部２３の下方で側部フレーム部１ａに左右方向へ延設された棒状の座部用ガイド部３１１と、座部用ガイド部３１１に案内されると共に脱落しないように係合されて左右方向へ移動するように座部２３の下面に固定された座部用被ガイド部３１２とを備えている。
【００２７】
この座部横スライド機構部３１は、リニアガイド、例えばＬＭガイド（登録商標）で構成されている。座板２２の下面にボールやローラーを内蔵したブロック体からなる座部用被ガイド部３１２を固定し、この座部用被ガイド部３１２を、レールや円柱体等の棒状部からなる座部用ガイド部３１１に係合、嵌合させ、座部２３を滑らかにスライドさせることができる。このリニアガイドの採用により、座部２３は車椅子の利用者が乗った状態でも滑らかに動き、車椅子の利用者等の労力を軽減させることができる。なお、リニアガイドは電動で操作するものであってもよい。
【００２８】
２組の座部横スライド機構部３１のうち、前方の座部用ガイド部３１１は、図２に示すように、座部２３の下の側部フレーム１ａの前端部において右側の側部フレーム１ａの位置から左側の側部フレーム１ａを越えてフック状部２３ｂの下まで延設されている。後方の座部用ガイド部３１１は、左右側部フレーム１ａの幅に延設されている。
【００２９】
また、この座部横スライド機構部３１には、図１乃至図３に示すように、座部用被ガイド部３１２の移動方向の延長上にあって座部２３の下面に接し且つ転動して座部２３を案内すると共に支持するように、フレーム部１における座席部２が外側へ移動する側の縁部側に座部用ローラ部３１３が設けられている。
【００３０】
座部用ローラ部３１３は、ローラ３１３ａとそのローラ３１３ａの軸受け３１３ｂを備えている。本形態例では、一対のローラ３１３ａが、軸受け３１３ｂを介して、座部用ガイド部３１１を挟むように前後に配されて、一つの座部用ローラ部３１３が構成されている。前方の座部用ローラ部３１３は、側部フレーム１ａに固定された延設板部３１４の上に固定されてフック状部２３ｂの下に位置し、後方の座部用ローラ部３１３は、左側の側部フレーム１ａの上に位置している。このローラ３１３ａによって座部２３が支持され、そのローラ３１３ａが転動するため、座部２３が水平状態を保ったままでより滑らかにスライドすることとなる。前方の座部用ローラ部３１３をフック状部２３ｂの下に位置させることで、座部用被ガイド部３１２との間のスパンがより大きく取れるため、座部２３をより安定した状態に支持することができる。
【００３１】
背もたれ部スライド機構部３２は、基本的に前記座部２３の下に設けられた座部横スライド機構部３１と同様の構成である。すなわち、背もたれ部２６の後方で左右背もたれ部用フレーム１ｂに左右方向へ延設された背もたれ部用ガイド部３２１と、背もたれ部用ガイド部３２１に案内されると共に脱落しないように係合されて左右方向へ移動するように背もたれ部２６の背面に固定された背もたれ部用被ガイド部３２２と、背もたれ部用被ガイド部３２２の移動方向の延長上にあって背もたれ部２６の背面に接し且つ転動して背もたれ部２６を案内すると共に支持するように、フレーム部１における座席部２が外側へ移動する側の縁部側に設けられた背もたれ部用ローラ部３２３とを備える。背もたれ部スライド機構部３２を設けることで、背もたれ部２６に常に寄りかかるような車椅子の利用者の座席３を滑らかにスライドさせることができる。
【００３２】
駆動輪の後退動手段５は、側部フレーム１ａと一体に形成されている。本形態例では、座席部２を左側にスライド可能とするため、左側の駆動輪４の車軸４１を後方へ退動させて駆動輪４を後退させる。駆動輪４を後退させるため、操作バー５１が用いられる。操作バー５１は、図１に示すように、左側の駆動輪４とその前方の前車輪６との間の側部フレーム１ａの下に略並行して設けた横長の平行フレーム１ｅより下方に伸びた縦延設部５２に軸支される。操作バー５１は、後方へ倒したときに、座席部２の横方向へのスライドを妨げないよう構成されている。
【００３３】
操作バー５１の長手方向の中央部付近には車軸４１を保持するための車軸保持部５４に連結される連結バー５３が軸支されている。この連結バー５３は、操作バー５１を後方へ倒すことにより後方へ退動し、これによって車軸保持部５４も後退し、左の駆動輪４が後退する。
【００３４】
車軸保持部５４は、縦長矩形状であって中央部で車軸４１を回転可能に保持し、上部と下部とでそれぞれ横長棒状体からなる車軸ガイド部５５に案内されて前後方向に移動できる。また、本形態例の車軸保持部５４は、前述したリニアガイドを介して車軸ガイド部５５に脱落しないように嵌まっており、座席３の移動と同様にスムースに前後方向へ移動できる。車軸ガイド部５５は、図１に示すように、座部２３下方の側部フレーム１ａと平行フレーム１ｅとから連続して後方へ延設された横長の矩形状枠体５６に固定されている。
【００３５】
駆動輪４の後退動手段５は、操作バー５１を倒すと車軸保持部５４に保持された車軸４１によって駆動輪４が回転しながら後退するため、てこの原理によって後方へ押される連結バー５３によって小さな力で駆動輪４を後退させることができる。なお、本形態例では、横長棒状体からなる車軸ガイド部５５及びその車軸ガイド部５５に沿って移動するリニアガイドを採用しているが、車軸保持部５３が前後に移動可能な構成であればラックとピニオンギヤや、レールを用いたガイド部等で駆動輪の後退動手段５を構成することができる。
【００３６】
本形態例の車椅子は、肘掛９を取り外し可能に保持することができる。そのため、側部フレーム１ａの前端部と後端部付近に、それぞれ嵌合部９１が形成されている。この場合、図４に示すように、左側の肘掛９を保持するにあたり、フック状部２３ｂの前端面に形成した凹部に肘掛９の前方のパイプ部が挿通し、かつ側部フレーム１ａの前端部付近の嵌合部に嵌ることにより、座席部２をスライドしないように固定できる。これにより、駆動輪４を後退させた後、介護者が座席部２をスライドさせる前に、被介護者が不十分なスライド位置によって床に転落することを防ぐことができる。なお、図５に示すように、側部フレーム１ａの後端部付近に肘掛９の軸着部９ｃを設け、肘掛９を後方へ回動させることもできる。
【００３７】
以上の構成によって、車椅子の利用者が車椅子からベッドへ移動するに際しては、車椅子をベッドの脇に移動し、操作バー５１を後方へ倒し、肘掛９の嵌合状態を解除し、座席部２を車椅子の利用者が座ったままの状態で座席部２をスライドさせてベッドの上面にフック状部２３ｂがかかる位置まで移動させる。その後、足を上げてベッドの上面で身体をひねるだけでベッドに移ることができる。また、洋式便器で用を足す際は、肘掛９の嵌合状態を解除した後、座席部２を便座の上部に一部が掛かる位置か、便座の側面に接する位置にスライドさせ、腰を少し移動させた後に用を足すことができる。
【００３８】
次に、本発明にかかる車椅子の他の形態例を添付図面（図６乃至８）に基づいて説明する。図６では駆動輪４が走行をする際の前方の定位置にある状態を示しており、図７及び８では駆動輪４が後方へ移動されて座部２３が横方向へ移動される状態を示してある。
この形態例では、駆動輪４の後退動手段５の操作部が、フレーム部１における側部の下部を支点として前後に回動できる操作バー５１によって設けられ、操作バーの中途部５１ｂと車軸保持部５４との間に連結された駆動輪後退用リンク（連結バー５３）を介して駆動輪４が後方へ移動できると共に、操作バー５１の上側中途部５１ｃと肘掛９の前方部９ａとが回動可能に連結されていることで肘掛９を後方へ移動できるように設けられている。これによれば、操作バー５１の一つの操作によって、駆動輪４と肘掛９の両方について前後方向への移動を行うことができ、その操作性を向上できる。
【００３９】
図７に示すように、操作バー５１の下端部５１ａがフレーム部１と一体的に設けられている縦延設部５２に回動可能に軸着され、駆動輪後退用リンクである連結バー５３の一端部５３ａが操作バー５１の中途部５１ｂに回動可能に軸着され、連結バー５３の他端部５３ｂが車軸保持部５４に回動可能に軸着されている。また、操作バー５１の上側中途部５１ｃと肘掛９の前方部９ａとが回動可能に軸着されている。
【００４０】
そして、肘掛保持用リンク９２の一端部９２ａが車軸保持部５４に回動可能に軸着され、肘掛保持用リンク９２の他端部９２ｂが肘掛の後方部９ｂに回動可能に軸着されている。このように、肘掛９の後方部９ｂと車軸保持部５４との間に連結された肘掛保持用リンク９２によれば、肘掛９の動作を規制して保持することができ、その肘掛９の姿勢を維持しつつ、後方へのスムースな移動を行うことができる。さらに、本形態例の操作バー５１、肘掛９、肘掛保持用リンク９２、及び連結バー５３と車軸保持部５４の関係によれば、実質的に平行四節リンクに近似する動作を行うリンク機構となっており、肘掛９が実質的にスライド移動でき、スムースに後退できる。
【００４１】
なお、本発明によれば、操作バー５１の一つの回動操作によって、駆動輪４と肘掛９の両方について後退動を行うことができればよく、本形態例に限定されるものではない。例えば、この肘掛保持用リンク９２に替えて、肘掛９を直線動ガイドに沿わせてスライドさせるようにしてもよい。
さらに、操作バー５１の上端部５１ｄの表裏に、使用者が把持できる突起部が設けられており、この突起部を用いて回動操作を好適に行うことができる。また、９３はピンであり、肘掛９の前端部に設けられた貫通孔を通してフレーム部１の前部に設けられた孔へ挿入され、車椅子の走行の際には肘掛９が固定されるように構成されている。
【００４２】
また、この形態例では、前車輪６の前側に位置して足を載せることができる足載せ部７の足載せ板７２が、フレーム部１の前方と側方との間で回動変位できるように、足載せ板７２を保持する足載せ部用フレーム７１がフレーム部１の前角部において回動可能に軸着されており、足載せ板７２が、足載せ部用フレーム７１の水平軸部７１ａに、足を載せることが可能な水平に保持される状態から立てた状態に回動できると共に保持できるように設けられ、足載せ板７２が立てた状態になったときに、足載せ板７２の水平軸部７１ａを挟んで反対側へ延設された支持用延設部（キャスター７３）が回動して下端が接地することで車椅子にかかる荷重を受けることができるように設けられている。本形態例では、支持用延設部分として、キャスター７３が設けられている。
【００４３】
これによれば、座部２３が横方向へ移動されて側部の外側へ突き出た際に、座部２３を介して車椅子にかかる荷重を好適に受けることができ、その車椅子が横転したり、滑ってしまうことを可及的に防止できる。
【００４４】
次に、本発明にかかる車椅子の他の形態例を添付図面（図９乃至１２）に基づいて説明する。図９では後輪である主輪４０が走行（回転）できるようにブレーキが解除された状態を示しており、図１０及び１１では主輪４０が回転しないようにブレーキがかかった状態で座部２３を含む座席部２が横方向へ移動される状態を示してある。
本形態例の車椅子は、座面２１を備えた座部２３及びその座部２３に座る利用者の背中を支えるようにその座部２３と一体化された背もたれ部２６を備える座席部２と、その座席部２を支持するフレーム部１と、そのフレーム部１の左右に位置する一対の主輪４０、４０と、一対の主輪４０、４０の前方に位置する一対の前車輪６、６とを備え、座席部２を左右方向の一方の外側方向へスライドできるように、主輪４０の外径が座席部２の左右方向のスライドを妨げない大きさに設けられている。すなわち、自走タイプの車椅子と比較して主輪が小径になっており、主輪（駆動輪）４０を後退させる必要がない形態になっている。
【００４５】
そして、本形態例では、以上に説明した形態例と同様に、座部２３の下方でフレーム部１に左右方向へ延設された座部用ガイド部３１１と、その座部用ガイド部３１１に案内されると共に脱落しないように係合されて左右方向へ移動するように座部２３の下面に固定された座部用被ガイド部３１２と、その座部用被ガイド部３１２の移動方向の延長上にあって座部２３の下面に接し且つ転動してその座部２３を案内すると共に支持するようにフレーム部１の座部２３が外側へ移動する側の縁部側に設けられた座部用ローラ部３１３とを備える座部横スライド機構部３１と、背もたれ部２６の後方でフレーム部１に左右方向へ延設された背もたれ部用ガイド部３２１と、その背もたれ部用ガイド部３２１に案内されると共に脱落しないように係合されて左右方向へ移動するように背もたれ部２６の背面に固定された背もたれ部用被ガイド部３２２とを備える背もたれ部スライド機構部３２とがそれぞれ設けられて構成されている座席横スライド手段３とを具備している。これによっても、以上に説明した形態例と同様の効果を奏する。
【００４６】
また、図９及び図１０に示すように、座部２３が外側へ移動する側の縁部の外側に設けられた主輪４０をロックするための主輪用ブレーキ４２について、その主輪用ブレーキ４２を操作するようにレバーを備える操作部が、通常よりも短い短尺操作レバー４３とその短尺操作レバー４３に対して後方へ傾斜して通常の長さに設けられている傾斜操作レバー４４とによって構成されている。
【００４７】
本形態例の主輪用ブレーキ４２は、側部フレーム１ａに固定されており、操作部の短尺操作レバー４３又は傾斜操作レバー４４のいずれかを回動操作することで、ブレーキのセットとその解除を行うことができる。すなわち、どちらかのレバー４３、４４を回動操作することで、ブレーキ片４５が回動して主輪４０のタイヤ面に圧接してブレーキがかかった状態にロックされる構造になっている。主輪用ブレーキ４２の本体は市販されている通常の機構を有するもので、操作部が改造されて設けられており、比較的容易に構成できる。これによれば、専ら被介護者が短尺操作レバー４３を回動操作し、介護者が後方へ傾斜した傾斜操作レバー４４をさらに傾斜させるように回動操作することになるが、特に車椅子を後方で操作する介護者にとって、主輪用ブレーキ４２の操作が容易になる。そして、通常の長さの傾斜操作レバー４４が、より後方に傾いていることで、図１０に示すようにブレーキをセットした状態で、座部２３を含む座席部２の左右方向へのスライドを妨げることがなく、本発明の目的を合理的に達することができる。
【００４８】
また、本形態例では、座部２３が外側へ移動する側とは反対側のその座部２３の側部に、座部用ガイド部３１１に係止して座部２３の左右方向の移動を阻止するようにロックできるストッパ機構３３を備える。本形態例のストッパ機構３３では、図１２に示すように、レバー３４ｂを把持し、軸心３４ａが偏心して装着された円柱状のストッパ体３４を回動することで、そのストッパ体３４の周側面が、棒状の座部用ガイド部３１１の周側面に圧接されてロックされる。図１２において、実線で示した状態が、ロックが解除された状態であり、仮想線（二点鎖線）で示した状態が、ロックがなされた状態を示している。これによれば、棒状の座部用ガイド部３１１の長さ方向の任意の位置で、座部２３を含む座席部２を固定することができる。また、比較的簡単な構成で合理的に構成できる。なお、本形態例のストッパ体３４は、ロックが解除された状態で回動しないように保持できるように、皿バネを利用して装着されている。
【００４９】
次に、本発明にかかる車椅子の実施の形態例を添付図面（図１３乃至１５）に基づいて説明する。
図１３に示す実施の形態例は、車椅子の座部２３の座面２１に、便座の穴に相当する座面穴２８を設けたことを特徴とするものである。図１３に示した座面穴２８用の蓋２９を取り除くことで座面２１の中央部に座面穴２８が開口され、その状態で使用者が座面２１上に座ることで、使用者は車椅子に乗ったままの状態で用をたすことができる。なお、２９ａは切欠き部であり、蓋２９を外す際に指かかりとなるように設けられている。
このように座面穴２８が設けられた車椅子では、座部２３の座面２１が洋式トイレの便器上に位置するように移動可能に、フレーム部１が形成されているとよい。すなわち、通常の洋式トイレの便器は、洋式トイレの出入口の扉側へ向いて設置されており、この洋式トイレの上に車椅子の座面２１が位置するためには、その車椅子を後方へ移動させればよい。従って、その車椅子では、座面２１の下部とその後方側において、後方へ移動する際に洋式トイレの便器に干渉する部位を設けないことを要する。
【００５０】
また、図１４に示す実施の形態例は、一対の前車輪用フレーム１ｃ、１ｃの間に固定された補強横フレーム１ｆを備えることを特徴とするものである。これによれば、折り畳み式の場合には適用できないが、車椅子の構造を好適に補強できると共に、洋式トイレの便器上に後方へ移動して座面２１を位置させる車椅子（図１３参照）を好適に構成できる。
【００５１】
また、図１５に示す実施の形態例は、車椅子の肘掛９を前方へ延長したことを特徴とするものである。その前方へ延長した前方突起部９ｃは、車椅子を操作して介護する人が取手として利用できるように、前方へ突起した形態となっている。これによれば、介護をする人が、一対の前方突起部９ｃを好適に把持できるため、車椅子をその前側から容易に操作できる。特に、洋式トイレの便器上に後方へ移動して座面２１を位置させる車椅子（図１３参照）に適用した場合、その車椅子を好適に操作できる。
【００５２】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００５３】
１  フレーム部
１ａ  側部フレーム
１ｂ  背もたれ部フレーム
１ｃ  前車輪用フレーム
１ｄ  足乗台用フレーム
１ｅ  平行フレーム
２  座席部
２１  座面
２２  座板
２３  座部
２３ａ  凹曲面部
２３ｂ  フック状部
２４  背あて面
２５  背板
２６  背もたれ部
３  座席横スライド手段
３１  座部横スライド機構部
３１１  座部用ガイド部  
３１２  座部用被ガイド部
３１３  座部用ローラ部  
３１３ａ  ローラ
３１３ｂ  軸受け
３２  背もたれ部スライド機構部
３２１  背もたれ部用ガイド部  
３２２  背もたれ部用被ガイド部
３２３  背もたれ部用ローラ部  
３３  ストッパ機構
３４  ストッパ体
３４ａ  軸心
３４ｂ  レバー
４  駆動輪
４０  主輪
４１  車軸
４２  主輪用ブレーキ
４３  短尺操作レバー
４４  傾斜操作レバー
４５  ブレーキ片
５  駆動輪の後退動手段
５１  操作バー
５１ａ  下端部
５１ｂ  中途部
５１ｃ  上側中途部
５１ｄ  上端部
５２  縦延設部
５３  連結バー（駆動輪後退用リンク）
５３ａ  一端部
５３ｂ  他端部
５４  車軸保持部
５５  車軸ガイド部
５６  矩形状枠体
６  前車輪
６１  ヨーク
７  足載せ部
７１  足載せ部用フレーム
７１ａ  水平軸部
７２  足載せ板
７３  キャスター（支持用延設部）
８  ハンドル
９  肘掛
９ａ  肘掛の前方部
９ｂ  肘掛の後方部
９１  嵌合部
９２  肘掛保持用リンク
９２ａ  一端部
９２ｂ  他端部
９３  ピン
【図１】
2014147661.tif 000003
【図２】
2014147661.tif 000004
【図３】
2014147661.tif 000005
【図４】
2014147661.tif 000006
【図５】
2014147661.tif 000007
【図６】
2014147661.tif 000008
【図７】
2014147661.tif 000009
【図８】
2014147661.tif 000010
【図９】
2014147661.tif 000011
【図１０】
2014147661.tif 000012
【図１１】
2014147661.tif 000013
【図１２】
2014147661.tif 000014
【図１３】
2014147661.tif 000015
【図１４】
2014147661.tif 000016
【図１５】
2014147661.tif 000017